(57)【要約】【課題】素材数を最小限とし、容易に形成でき、かつ、耐荷重性に優れた梱包用緩衝材を提供することを目的とする。【解決手段】緩衝材Ａ２６で形成され、被梱包製品３３の下面および四側面と梱包箱３６の内面との間のクリアランスを保つ梱包用緩衝材において、緩衝材Ａ２６は一枚の段ボールシートＡ１から成り、両側部に断面がほぼ矩形の矩形スリーブａ１６、ｂ１７を設け、この矩形スリーブａ１６、ｂ１７と直角を成し断面がほぼコの字状のコの字スリーブａ２０、ｂ２１を設け、コの字スリーブａ２０、ｂ２１の両端上部で矩形スリーブａ１６、ｂ１７の両端上部をロックするよう構成した。【選択図】　図１
2004051202.tif 000002
【特許請求の範囲】
【請求項１】
緩衝材Ａ（２６）で形成され、被梱包製品（３３）の下面および四側面と梱包箱（３６）の内面との間のクリアランスを保つ梱包用緩衝材において、
緩衝材Ａ（２６）は一枚の段ボールシートＡ（１）から成り、両側部に断面がほぼ矩形の矩形スリーブａ（１６）、ｂ（１７）を設け、この矩形スリーブａ（１６）、ｂ（１７）と直角を成し断面がほぼコの字状のコの字スリーブａ（２０）、ｂ（２１）を設け、コの字スリーブａ（２０）、ｂ（２１）の両端上部で矩形スリーブａ（１６）、ｂ（１７）の両端上部をロックするよう構成したことを特徴とする梱包用緩衝材。
【請求項２】
緩衝材Ａ（２６）は矩形スリーブａ（１６）、ｂ（１７）の上部に手差込穴ａ（１８）、ｂ（１９）を形成したことを特徴とする請求項１記載の梱包用緩衝材。
【請求項３】
緩衝材Ａ（２６）はコの字スリーブｂ（２１）の上部から垂直部にかけて切り込み（２２）を形成したことを特徴とする請求項１乃至請求項２記載の梱包用緩衝材。
【請求項４】
緩衝材Ａ（２６）はコの字スリーブａ（２０）の上方端部に指かけ穴（２４）を形成したことを特徴とする請求項１乃至請求項３記載の梱包用緩衝材。
【請求項５】
緩衝材Ｂ（３２）で形成され、被梱包製品（３３）の上面と梱包箱（３６）の内面との間のクリアランスを保ち、緩衝材Ａ（２６）と組み合わされて使用される梱包用緩衝材において、
緩衝材Ｂ（３２）は一枚の段ボールシートＢ（２７）から成り、凹の字状とし、段ボールシートＢ（２７）の一部を折り重ねて凹の字の両側部を構成したことを特徴とする梱包用緩衝材。
【発明の詳細な説明】
【０００１】
【発明の属する技術分野】
本発明は被梱包製品を梱包箱に収納する際に使用する梱包用緩衝材に関するものである。
【０００２】
【従来の技術】
従来の被梱包製品の梱包は、梱包用緩衝材で被梱包製品を段ボール製の梱包箱の内面との間にクリアランスを保つことによって行われていた。この梱包用緩衝材は、多くは主に発泡スチロール樹脂からなる成型緩衝材によって構成されていた。
【０００３】
発泡スチロール樹脂製の梱包用緩衝材は、緩衝性能には優れているが、廃棄やリサイクルがしにくく、また、特に発泡スチロール樹脂はごみ公害問題の原因となる物質であった。
【０００４】
そこで、近年この問題に対処した梱包用緩衝材として発泡スチロール樹脂を使用せず、段ボールシートを使用したものに替わりつつあり、このような例として以下のものがある。
【０００５】
実開平７−１５５２９号公報に示す例は、両端部にストッパ片を有する断面がコの字状の一対の段ボールクッションで構成されるものである。
【０００６】
実開平６−１４０７２号公報に示す例は、両側に矩形断面を持つ緩衝材と下方がコの字状でほぼ端部が上方に立ち上がりを持つ緩衝材とで構成されるものである。
【０００７】
実開平５−１３９６７号公報に示す例は、平面断面がほぼＨ字状で、内側上部の一部をＬ字突出部を持つ緩衝材二つで構成されるものである。
【０００８】
特開２００１−９７４５７号公報に示す例は、上方が開放されたコの字状で被梱包製品の底面・側面・後面を保護する緩衝材と、直方体状で被梱包製品の前面を保護する緩衝材とで構成されるものである。
【０００９】
【発明が解決しようとする課題】
前記した実開平７−１５５２９号公報、実開平６−１４０７２号公報、実開平５−１３９６７号公報、特開２００１−９７４５７号公報に示すような従来の梱包用緩衝材においては、素材である段ボールシートの枚数が多いので、組立て性を含めてコスト的な問題等があった。さらに、特開平５−１３９６７号公報に示す例は耐荷重性に問題があった。
【００１０】
本発明は、前記課題を解決するものであり、素材数を最小限とし、容易に形成でき、かつ、耐荷重性に優れた梱包用緩衝材を提供することを目的とする。
【００１１】
加えて、梱包箱から被梱包製品を容易に取り出せることを目的とする。
【００１２】
さらに加えて、被梱包製品を収納する空間とは異なる空間に被梱包製品のコードなどを容易に収納することを目的とする。
【００１３】
さらに加えて、被梱包製品を収納する空間とは異なる空間に被梱包製品の付属品などを容易に収納することを目的とする。
【００１４】
また、一枚の段ボールシートから簡単に形成でき、被梱包製品の上面と梱包箱の内面との間のクリアランスを保つ梱包用緩衝材を提供することを目的とする。
【００１５】
【課題を解決するための手段】
上記課題を解決するために本発明では、緩衝材Ａで形成され、被梱包製品の下面および四側面と梱包箱の内面との間のクリアランスを保つ梱包用緩衝材において、緩衝材Ａは一枚の段ボールシートＡから成り、両側部に断面がほぼ矩形の矩形スリーブａ、ｂを設け、この矩形スリーブａ、ｂと直角を成し断面がほぼコの字状のコの字スリーブａ、ｂを設けてコの字スリーブａ、ｂの両端上部で矩形スリーブａ、ｂの両端上部をロックするよう構成したものである。
【００１６】
【発明の実施の形態】
請求項１に記載の発明は、緩衝材Ａで形成され、被梱包製品の下面および四側面と梱包箱の内面との間のクリアランスを保つ梱包用緩衝材において、緩衝材Ａは一枚の段ボールシートＡから成り、両側部に断面がほぼ矩形の矩形スリーブａ、ｂを設け、この矩形スリーブａ、ｂと直角を成し断面がほぼコの字状のコの字スリーブａ、ｂを設け、コの字スリーブａ、ｂの両端上部で矩形スリーブａ、ｂの両端上部をロックするよう構成したもので、これにより素材数を最小限とし、容易に形成でき、かつ、耐荷重性に優れた梱包用緩衝材を提供することができる。
【００１７】
請求項２に記載の発明は、請求項１記載の発明において、さらに、緩衝材Ａは矩形スリーブａ、ｂの上部に手差込穴ａ、ｂを形成したもので、これにより梱包箱から被梱包製品を容易に取り出すことができる。
【００１８】
請求項３に記載の発明は、請求項１乃至請求項２記載の発明において、さらに、緩衝材Ａはコの字スリーブｂの上部から垂直部にかけて切り込みを形成したもので、これにより被梱包製品を収納する空間とは異なる空間に被梱包製品のコードなどを容易に収納することができる。
【００１９】
請求項４に記載の発明は、請求項１乃至請求項３記載の発明において、さらに、緩衝材Ａはコの字スリーブａの上方端部に指かけ穴を形成したもので、これにより被梱包製品を収納する空間とは異なる空間に被梱包製品の付属品などを容易に収納することができる。
【００２０】
請求項５に記載の発明は、緩衝材Ｂで形成され、被梱包製品の上面と梱包箱の内面との間のクリアランスを保ち、緩衝材Ａと組み合わされて使用される梱包用緩衝材において、緩衝材Ｂは一枚の段ボールシートＢから成り、凹の字状とし、段ボールシートＢの一部を折り重ねて凹の字の両側部を構成したもので、これにより一枚の段ボールシートから簡単に形成でき、被梱包製品の上面と梱包箱の内面との間のクリアランスを保つ梱包用緩衝材を提供することができる。
【００２１】
【実施例】
以下、本発明の一実施例を図面に基づいて説明する。図１は本発明の一実施例の緩衝材Ａで形成される梱包用緩衝材を示す図、図２は本発明の一実施例の緩衝材Ｂで形成される梱包用緩衝材を示す図、図３は本発明の一実施例の梱包用緩衝材と梱包箱と被梱包製品の組立て手順を示す図、図４は本発明の一実施例の梱包用緩衝材と被梱包製品を梱包箱に組み込んだ図である。
【００２２】
尚、図１（ａ）および図２（ａ）は展開図で、実線は切り線を示し、破線は折り曲げ線を示し、素材が段ボールシートであることが分るように一部を破断している。図１（ｂ）および図２（ｂ）は組立て後の図である。
【００２３】
図１（ａ）において、１は段ボールシートＡで、図の実線で示す切り線の加工が加えられて切り込み線や抜き穴が設けられ、さらに以下に記す折り曲げ線即ち罫線を折り曲げることにより後記緩衝材Ａ２６が形成される。
【００２４】
２、３は抜き穴で、抜き穴２はほぼ同じ大きさで二箇所設けられ、抜き穴３は抜き穴２より小さく一箇所設けられる。４、５、６、７、８、９、１０、１１、１２、１３、１４、１５は罫線である。
【００２５】
図１（ｂ）において、１６は矩形スリーブａで、前記罫線８、９、１０、１１を直角に折り曲げてゆくことにより段ボールシートＡ１の端部に形成され、断面がほぼ矩形となる。１７は矩形スリーブｂで、前記罫線１２、１３、１４、１５を直角に折り曲げてゆくことにより段ボールシートＡ１の他端部に形成され、断面がほぼ矩形となる。
【００２６】
１８、１９は手差込穴ａ、ｂで、段ボールシートＡ１に設けられた前記二つの抜き穴２がそれぞれ形を変えてこの矩形スリーブａ１６、ｂ１７の上部に形成されるものである。
【００２７】
２０はコの字スリーブａで、前記罫線４、５を直角に折り返してゆくことにより形成され、断面がほぼコの字状で、コの字が外向きに開いた形状となる。２１はコの字スリーブｂで、前記罫線６、７を直角に折り返してゆくことにより形成され、断面がほぼコの字状で、コの字が外向きに開いた形状となる。このコの字スリーブａ２０、ｂ２１は前記矩形スリーブａ１６、ｂ１７と直角を成し、両端上部で矩形スリーブａ１６、ｂ１７の両端上部をロックする。
【００２８】
２２は切り込みで、段ボールシートＡ１に設けられた前記抜き穴３の一部が形を変えてコの字スリーブｂ２１の上部から垂直部にかけて形成されるものである。２３は空間ｂで、コの字スリーブｂ２１と後記梱包箱３６の内側面とで囲われて形成される空間である。
【００２９】
２４は指かけ穴で、前記抜き穴３の一部が形を変えてコの字スリーブａ２０の上方端部に形成されるものである。２５は空間ａで、コの字スリーブａ２０と後記梱包箱３６の内側面とで囲われて形成される空間である。
【００３０】
２６は以上のように一枚の段ボールシートＡから成る緩衝材Ａで、矩形スリーブａ１６と矩形スリーブｂ１７とコの字スリーブａ２０とコの字スリーブｂ２１と後記梱包箱３６の内面とで囲まれて形成される空間に後記被梱包製品３３の本体を収納し、後記被梱包製品３３の下面および四側面と後記梱包箱３６の内面との間のクリアランスを保つ。
【００３１】
図２（ａ）において、２７は段ボールシートＢで、図の実線で示す切り線の加工が加えられて切り込み線が設けられ、さらに以下に記す折り曲げ線即ち罫線部を折り曲げることにより後記緩衝材Ｂ３２が形成される。
２８、２９、３０、３１は罫線である。
【００３２】
図２（ｂ）において、３２は上記のように一枚の段ボールシートＢ２７から成る緩衝材Ｂで、前記罫線２８、２９、３０、３１を折り返し、凹の字状とし、段ボールシートＢ２７の一部を折り重ねて凹の字の両側部を構成する。
【００３３】
緩衝材Ｂ３２は以上のように構成され、後記被梱包製品３３の上面と後記梱包箱３６の内面との間のクリアランスを保ち、緩衝材Ａ２６と組み合わされて使用される。
【００３４】
図３において、３３は被梱包製品で、例えば本体上部に本体より横寸法の大きいトッププレートを有した加熱調理器等である。３４はコードで、被梱包製品３３の電源用コード等である。３５は付属品などで、例えば被梱包製品３３の付属のネジ等である。
【００３５】
３６は梱包箱で、段ボールシートで構成され、組立て後は直方体状となって、被梱包製品３３を収納する。
【００３６】
以上の構成において、梱包組立て手順を図３を参照して説明する。
被梱包製品３３を梱包する組立て手順は、先ず、上部蓋を開いた梱包箱３６を床に置き、その中に緩衝材Ａ２６を入れ、次に被梱包製品３３を緩衝材Ａ２６によって形成された中央空間部に入れ、被梱包製品３３のコード３４のプラグ部を含む主要部を空間ｂ２３に入れ、被梱包製品３３の付属品など３５を空間ａ２５に入れ、緩衝材Ｂ３２を被梱包製品３３の載せ、最後に梱包箱３６の上部蓋を閉じる。その後、梱包箱３６の周囲にロープを掛ける、またはテープを貼るなどの処理を行う。
【００３７】
梱包箱３６の中に緩衝材Ａ２６、被梱包製品３３、緩衝材Ｂ３２を入れた状態を示したのが図４である。
【００３８】
図４の状態から、梱包箱３６の上部蓋を閉じれば、緩衝材Ａ２６によって被梱包製品３３の下面および四側面と梱包箱３６の内面との間のクリアランスを保ち、緩衝材Ｂ３２によって被梱包製品３３の上面と梱包箱３６の内面との間のクリアランスを保つことができる。
【００３９】
矩形スリーブａ１６、ｂ１７は、被梱包製品３３の左右方向の移動を防止するとともに、断面をほぼ矩形としたので、最も荷重の掛かり易い左右および下方向への荷重に対して非常に強いものである。
【００４０】
加えて、緩衝材Ａ２６の矩形スリーブａ１６、ｂ１７の上部に手差込穴ａ１８、ｂ１９を形成したことにより、梱包箱３６から被梱包製品３３を取り出すとき、緩衝材Ｂ３２を取り除いた状態で、この二つの手差込穴ａ１８、ｂ１９に両手を差し込み、被梱包製品３３のトッププレートの下部に直接手を掛けて、梱包箱３６から被梱包製品３３を容易に取り出すことができる。
【００４１】
さらに加えて、緩衝材Ａ２６のコの字スリーブｂ２１の上部から垂直部にかけて切り込み２２を形成したことにより、この切り込み２２を介してコの字スリーブｂ２１が形成する空間ｂ２３すなわち被梱包製品３３を収納する空間とは異なる空間ｂ２３にコード３４のプラグ部を含む主要部を収納でき、運送中などにコード３４の金属製のプラグ刃等によって被梱包製品３３の本体等を傷つけることを防止できる（図４参照）。
【００４２】
さらに加えて、緩衝材Ａ２６のコの字スリーブａ２０の上方端部に指かけ穴２４を形成したことにより、この指かけ穴２４に指を掛けてコの字スリーブａ２０の上部を上方に開き、コの字スリーブａ２０が形成する空間ａ２５すなわち被梱包製品３３を収納する空間とは異なる空間ａ２５に被梱包製品３３の付属品など３５を収納でき、運送中などに金属製のネジ等の付属品など３５によって被梱包製品３３の本体等を傷つけることを防止できる（図４参照）。
【００４３】
また、緩衝材Ｂ３２は一枚の段ボールシートＢ２７を凹の字状とし、その一部を折り重ねて凹の字の両側部を構成し、被梱包製品３３と梱包箱３６の上部蓋との間に設置することにより、簡単に形成でき、被梱包製品３３の上面と梱包箱３６の内面との間のクリアランスを保つ梱包用緩衝材を提供できる。
【００４４】
【発明の効果】
以上本発明によれば、請求項１に記載の発明は、緩衝材Ａで形成され、被梱包製品の下面および四側面と梱包箱の内面との間のクリアランスを保つ梱包用緩衝材において、緩衝材Ａは一枚の段ボールシートＡから成り、両側部に断面がほぼ矩形の矩形スリーブａ、ｂを設け、この矩形スリーブａ、ｂと直角を成し断面がほぼコの字状のコの字スリーブａ、ｂを設け、コの字スリーブａ、ｂの両端上部で矩形スリーブａ、ｂの両端上部をロックするよう構成したので、素材数を最小限とし、容易に形成でき、かつ、耐荷重性に優れた梱包用緩衝材を提供することができるという効果を奏する。
【００４５】
請求項２に記載の発明は、請求項１に記載の発明に加えて、緩衝材Ａは矩形スリーブａ、ｂの上部に手差込穴ａ、ｂを形成したので、梱包箱から被梱包製品を容易に取り出すことができるという効果を奏する。
【００４６】
請求項３に記載の発明は、請求項１乃至請求項２に記載の発明に加えて、緩衝材Ａはコの字スリーブｂの上部から垂直部にかけて切り込みを形成したので、被梱包製品を収納する空間とは異なる空間に被梱包製品のコードなどを容易に収納することができるという効果を奏する。このため、運送中などにコード３４の金属製のプラグ刃等によって被梱包製品３３の本体等を傷つけることを防止できる。
【００４７】
請求項４に記載の発明は、請求項１乃至請求項３に記載の発明に加えて、緩衝材Ａはコの字スリーブａの上方端部に指かけ穴を形成したので、被梱包製品を収納する空間とは異なる空間に被梱包製品の付属品などを容易に収納することができるという効果を奏する。このため、運送中などに金属製のネジ等の付属品など３５によって被梱包製品３３の本体等を傷つけることを防止できる。
【００４８】
請求項５に記載の発明は、緩衝材Ｂで形成され、被梱包製品の上面と梱包箱の内面との間のクリアランスを保ち、緩衝材Ａと組み合わされて使用される梱包用緩衝材において、緩衝材Ｂは一枚の段ボールシートＢから成り、凹の字状とし、段ボールシートＢの一部を折り重ねて凹の字の両側部を構成したので、一枚の段ボールシートから簡単に形成でき、被梱包製品の上面と梱包箱の内面との間のクリアランスを保つ梱包用緩衝材を提供することができるという効果を奏する。
【図面の簡単な説明】
【図１】（ａ）は本発明の一実施例の緩衝材Ａで形成される梱包用緩衝材の展開図、（ｂ）は本発明の一実施例の緩衝材Ａで形成される梱包用緩衝材の組立て後を示す図である。
【図２】（ａ）は本発明の一実施例の緩衝材Ｂで形成される梱包用緩衝材の展開図、（ｂ）は本発明の一実施例の緩衝材Ｂで形成される梱包用緩衝材の組立て後を示す図である。
【図３】本発明の一実施例の梱包用緩衝材と梱包箱と被梱包製品の組立て手順を示す図である。
【図４】本発明の一実施例の梱包用緩衝材と被梱包製品を梱包箱に組み込んだ図である。
【符号の説明】
１　段ボールシートＡ
１６　矩形スリーブａ
１７　矩形スリーブｂ
１８　手差込穴ａ
１９　手差込穴ｂ
２０　コの字スリーブａ
２１　コの字スリーブｂ
２２　切り込み
２４　指かけ穴
２６　緩衝材Ａ
２７　段ボールシートＢ
３２　緩衝材Ｂ
３３　被梱包製品
３６　梱包箱
【図１】
2004051202.tif 000003
【図２】
2004051202.tif 000004
【図３】
2004051202.tif 000005
【図４】
2004051202.tif 000006